【手続補正書】
【提出日】平成19年5月25日(2007.5.25)
【手続補正１】
【補正対象書類名】明細書
【補正対象項目名】発明の名称
【補正方法】変更
【補正の内容】
【発明の名称】セキュリティ装置、セキュリティ制御方法、プログラム及び記録媒体
【手続補正２】
【補正対象書類名】明細書
【補正対象項目名】特許請求の範囲
【補正方法】変更
【補正の内容】
【特許請求の範囲】
【請求項１】  複数の来訪者を識別するための識別情報及び各来訪者の設定情報を記憶したデータベース手段と、
来訪者の情報を取得する取得手段と、
前記取得手段により取得された来訪者の情報と、前記データベース手段に記憶された識別情報とを比較し、来訪者を特定する特定手段と、
前記特定手段により特定された来訪者の設定情報を前記データベース手段から読み出し、該設定情報に基づいて動作を制御する制御手段とを備えることを特徴とするセキュリティ装置。
【請求項２】  留守モードと在宅モードのモード情報と、該モードの動作条件を設定するモード設定手段と、
前記制御手段は、指定されたモードに対する動作条件を、該モード設定手段から読み出し、該動作条件に基づいて動作を制御することを特徴とする請求項１記載のセキュリティ装置。
【請求項３】  前記制御手段は、前記設定情報と前記動作条件に基づいて、メッセージを前記来訪者へ報知することを特徴とする請求項１または２記載のセキュリティ装置。
【請求項４】  前記制御手段は、前記設定情報と前記動作条件に基づいて、ダイヤル発信を行うことを特徴とする請求項１から３のいずれか１項に記載のセキュリティ装置。
【請求項５】  前記制御手段は、前記設定情報と前記動作条件とに基づいて、ダイヤル発信と、ダイヤル発信先への前記設定情報の送信とを行うことを特徴とする請求項３記載のセキュリティ装置。
【請求項６】  前記制御手段は、前記設定情報と前記動作条件とに基づいて、ダイヤル発信を行い、ダイヤル発信先の応答がない場合には、前記来訪者にメッセージを報知することを特徴とする請求項４または５記載のセキュリティ装置。
【請求項７】  複数の来訪者を識別するための識別情報及び各来訪者に対する対応情報を記憶したデータベース記憶手段を備えたセキュリティ装置の制御方法において、
来訪者の情報を取得するステップと、
前記取得された来訪者の情報と、前記データベース記憶手段に記憶された識別情報とを比較し、来訪者を特定するステップと、
前記特定された来訪者の設定情報を前記データベース記憶手段から読み出し、該設定情報に基づいて動作を制御するステップとを備えることを特徴とするセキュリティ装置の制御方法。
【請求項８】  コンピュータに請求項７記載のセキュリティ装置の制御方法を実行させるための制御プログラム。
【請求項９】  コンピュータに請求項７記載のセキュリティ装置の制御方法を実行させるための制御プログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、来訪者の特徴情報を入力することによって該来訪者を識別し、該来訪者に応じた対応を自動で行うセキュリティ装置、セキュリティ制御方法、プログラム及び記録媒体に関する。
【手続補正４】
【補正対象書類名】明細書
【補正対象項目名】００１１
【補正方法】変更
【補正の内容】
【００１１】
本発明は、上記問題点を解決するためになされたもので、その目的とするところは、来訪者により呼び出し操作が行われると、カメラで撮影した画像を元に個人識別を行ない、データベースに登録している人物のデータと一致した場合は、該データベースに登録されている来訪者の氏名等を音声により外出先に送信可能とし、外出先からでもドアホン通話前に来訪者が誰であるかを知り得ることが可能なセキュリティ装置を提供することである。
【手続補正５】
【補正対象書類名】明細書
【補正対象項目名】００１２
【補正方法】変更
【補正の内容】
【００１２】
また、該データベースに登録された人物毎の応対方法を設定することが可能で、来訪者が識別できた場合に該データベースに登録された人物毎の応対方法を読み出し、必要な来訪者である場合のみに外出先にダイヤル発信してドアホン通話を可能にするセキュリティ装置を提供することである。
【手続補正６】
【補正対象書類名】明細書
【補正対象項目名】００１３
【補正方法】変更
【補正の内容】
【００１３】
さらに、外出中の住人に対して音声で来訪者の情報を送出することにより、外出先には一般の電話以外、特別な装置が不要なセキュリティ装置を提供することである。
【手続補正７】
【補正対象書類名】明細書
【補正対象項目名】００１４
【補正方法】変更
【補正の内容】
【００１４】
【課題を解決するための手段】
本発明は、複数の来訪者を識別するための識別情報及び各来訪者の設定情報を記憶したデータベース手段と、
来訪者の情報を取得する取得手段と、
前記取得手段により取得された来訪者の情報と、前記データベース手段に記憶された識別情報とを比較し、来訪者を特定する特定手段と、
前記特定手段により特定された来訪者の設定情報を前記データベース手段から読み出し、該設定情報に基づいて動作を制御する制御手段とを備えることを特徴とするセキュリティ装置である。
【手続補正８】
【補正対象書類名】明細書
【補正対象項目名】００１５
【補正方法】変更
【補正の内容】
【００１５】
また本発明は、留守モードと在宅モードのモード情報と、該モードの動作条件を設定するモード設定手段と、
前記制御手段は、指定されたモードに対する動作条件を、該モード設定手段から読み出し、該動作条件に基づいて動作を制御することを特徴とする。
【手続補正９】
【補正対象書類名】明細書
【補正対象項目名】００１６
【補正方法】変更
【補正の内容】
【００１６】
また本発明は、前記制御手段は、前記設定情報と前記動作条件に基づいて、メッセージを前記来訪者へ報知することを特徴とする。
【手続補正１０】
【補正対象書類名】明細書
【補正対象項目名】００１７
【補正方法】変更
【補正の内容】
【００１７】
また本発明は、前記制御手段は、前記設定情報と前記動作条件に基づいて、ダイヤル発信を行うことを特徴とする。
【手続補正１１】
【補正対象書類名】明細書
【補正対象項目名】００１８
【補正方法】変更
【補正の内容】
【００１８】
また本発明は、前記制御手段は、前記設定情報と前記動作条件とに基づいて、ダイヤル発信と、ダイヤル発信先への前記設定情報の送信とを行うことを特徴とする。
【手続補正１２】
【補正対象書類名】明細書
【補正対象項目名】００１９
【補正方法】変更
【補正の内容】
【００１９】
また本発明は、前記制御手段は、前記設定情報と前記動作条件とに基づいて、ダイヤル発信を行い、ダイヤル発信先の応答がない場合には、前記来訪者にメッセージを報知することを特徴とする。
【手続補正１３】
【補正対象書類名】明細書
【補正対象項目名】００２０
【補正方法】変更
【補正の内容】
【００２０】
さらに本発明は、複数の来訪者を識別するための識別情報及び各来訪者に対する対応情報を記憶したデータベース記憶手段を備えたセキュリティ装置の制御方法において、
来訪者の情報を取得するステップと、
前記取得された来訪者の情報と、前記データベース記憶手段に記憶された識別情報とを比較し、来訪者を特定するステップと、
前記特定された来訪者の設定情報を前記データベース記憶手段から読み出し、該設定情報に基づいて動作を制御するステップとを備えることを特徴とするセキュリティ装置の制御方法である。
また本発明は、コンピュータに上記のセキュリティ装置の制御方法を実行させるための制御プログラムである。
また本発明は、コンピュータに上記のセキュリティ装置の制御方法を実行させるための制御プログラムを記録したコンピュータ読み取り可能な記録媒体である。
【手続補正１４】
【補正対象書類名】明細書
【補正対象項目名】００５２
【補正方法】変更
【補正の内容】
【００５２】
【発明の効果】
本発明におけるセキュリティ装置においては、以下のような効果が得られる。